(57)【要約】【課題】極めて容易に、短時間で、扉に装着できる埋込み取手を提供する。【解決手段】埋込み取手１は、本体２と、これを扉の正面板３１に固定する取付部材３とを具備する。本体２は、手差込み用凹部４を形成するように膨出する膨出部５と、凹部４の周囲に広がるフランジ部６とを具備する。フランジ部６の背面と膨出部５との間に、係合突部３２ｅを受け入れる係合凹部５ｆと、その反対側に位置する係合凹部５ｇとを具備する。係合凹部５ｇは、斜面５ｈを有する。取付部材３は、係合片７ｂを有するベース７と、これに枢着される締め付け部材８とを具備する。締め付け部材８は、締め付け位置と解放位置との間で回転し、締め付け位置で押圧部８ａが凹部５ｇ内へ進入し、斜面５ｈに係合して取手本体２を背面側へ引き込み、それによって、フランジ部６を正面板３１に圧接させる。【選択図】図１
2011026810.tif 000002
【特許請求の範囲】
【請求項１】
正面側に手差込み用凹部を形成するように背面側に膨出する膨出部と、この凹部の周囲に広がるフランジ部とを具備し、扉の正面板に形成された取付用開口であって相対向する第１の側縁と第２の側縁とを有し第１の側縁に第２の側縁側へ突出した係合突部を有するものへ、扉の正面側から膨出部が嵌め込まれ、フランジ部を扉の正面板の前面に密着させて取付部材により正面板に固定される取手本体を有する埋込み取手であって、
前記取手本体は、フランジ部の背面と膨出部との間に、前記取付用開口の係合突部を受け入れる第１の係合凹部と、膨出部を挟んでその反対側に位置する第２の係合凹部とを具備し、
前記取手本体の第２の係合凹部は、背面側へ向かうにしたがって徐々に外方へ広がる斜面を具備し、
前記取付部材は、前記取付用開口の第２の側縁に沿って前記扉の正面板の背面に密着するように装着され開口の第２の側縁に沿うように正面側へ起立する係合片を一側縁に有するベースと、このベースの背面側に枢着される締め付け部材とを具備し、
この締め付け部材は、締め付け位置と解放位置との間でベースの背面と平行に回転自在で、締め付け位置において前記取手本体の第２の係合凹部内へ進入する押圧部と、指を掛けて回転操作できるように背面側へ起立する回転操作部とを具備し、
前記の締め付け部材の押圧部は、前記取手本体の第２の係合凹部内へ進入したときに、前記斜面に係合して取手本体を背面側へ引き込み、それによって、フランジ部を正面板に圧接させるように構成されることを特徴とする埋込み取手。
【請求項２】
前記締め付け部材は、一対設けられ、解放位置から、互いの回転操作部を接近させるように相互に反対方向へ所定角度回転させた位置が締め付け位置となるように設定されることを特徴とする請求項１に記載の埋込み取手。
【請求項３】
前記一対の締め付け部材は、締め付け位置において連結して固定可能に構成されることを特徴とする請求項２に記載の埋込み取手。
【請求項４】
前記正面板に形成された取付用開口は、ほぼ矩形で、前記第１及び第２の側縁と、これらと直角の第３及び第４の側縁とを有し、
前記取手本体の膨出部は、第１ないし第４の側板及び底板を有するほぼ矩形の箱状で、相対向する第１、第２の側板の、フランジ部の背面との間に第１の係合凹部５ｆと第２の係合凹部５ｇが設けられ
前記取付部材のベースは、前記取手本体の膨出部の第３、第４の側板の外側面に沿う対向一対の延出片をさらに具備することを特徴とする請求項１又は２に記載の埋込み取手。
【請求項５】
前記取手本体の膨出部は、前記フランジ部と一体に形成され、前記第１の係合凹部と第２の係合凹部は膨出部の中心線に対して対称に、同形に形成されることを特徴とする請求項１，２，４のいずれかに記載の埋込み取手。
【請求項６】
前記第１の係合凹部と第２の係合凹部の前面側には、前記手差込み用凹部内に膨出する指掛け用突部が形成されることを特徴とする請求項１，２，４，５のいずれかに記載の埋込み取手。
【発明の詳細な説明】
【技術分野】
【０００１】
この発明は、非常扉、厨房用扉等の扉に装着され、手先を差込んで扉の開放操作を行うために使用される埋込み取手に関する。
【背景技術】
【０００２】
埋込み取手は、扉に形成された取付用開口に扉の正面側から嵌め込まれ、典型的にはボルトとナットによって扉に固着される。その一例が、特許文献１に記載されている。この埋込み取手は、正面側に手差込み用凹部を形成するように背面側に膨出する膨出部と、この凹部の周囲に広がるフランジ部とを具備する。フランジ部の背面側の四隅には、ボルトが植え付けられる。扉に形成された取付用開口に、正面側から膨出部を嵌め込み、取付用開口の外側四隅のボルト孔にボルトを挿通し、これに扉の裏側からナットを螺合させることによって、取手が固定される。
また、フランジの四隅に、ボルト挿通用の皿孔が形成され、この皿孔にボルトを挿通して、扉の裏側でナットにより締め付ける構造のもの、あるいは扉の裏側に、ボルト孔に重ねて、予めボルト螺合用のナットが溶接されるものも知られている。
【先行技術文献】
【特許文献】
【０００３】
【特許文献１】特開２００２−２５０１５４号公報
【発明の概要】
【発明が解決しようとする課題】
【０００４】
上記従来の埋込み取手は、いずれもボルト、ナットを螺合させる構造であって、取り付けに手間がかかる難点がある。
したがって、この出願に係る発明は、極めて容易に、短時間で、扉に装着することができる埋込み取手を提供することを目的としている。
【課題を解決するための手段】
【０００５】
以下、添付図面の符号を参照して説明するが、本発明はこれに限定されるものではない。
上記課題を解決するためのこの出願に係る埋込み取手１は、正面側に手差込み用凹部４を形成するように背面側に膨出する膨出部５と、この凹部４の周囲に広がるフランジ部６とを具備する本体２と、本体２を扉の正面板３１に固定するための取付部材３とを具備する。取手本体２は、フランジ部６の背面と膨出部５との間に、第１，第２の係合凹部５ｆ，５ｇを有する。第１の係合凹部５ｆは、扉の正面板３１に形成された取付用開口３２の係合突部３２ｅを受け入れる。第２の係合凹部５ｇは、膨出部５を挟んで第１の係合凹部５ｆと反対側に位置する。第２の係合凹部５ｇは、背面側へ向かうにしたがって徐々に外方へ広がる斜面５ｈを有する。取付部材３は、ベース７と、締め付け部材８とを具備する。ベース７は、取付用開口３２の側縁３２ｂに沿って正面板３１の背面に密着するように装着される。締め付け部材８は、ベースの背面側に枢着され、締め付け位置と解放位置との間でベース７の背面と平行に回転自在である。ベース７は、開口３２の側縁３２ｂに沿うように正面側へ起立する係合片７ｂを一側縁７ｅに有する。締め付け部材８は、押圧部８ａと、回転操作部８ｂとを具備する。押圧部８ａは、締め付け位置において取手本体２の係合凹部５ｇ内へ進入し、斜面５ｈに係合して取手本体２を背面側へ引き込み、それによって、フランジ部６を正面板３１に圧接させる。回転操作部８ｂは、指を掛けて締め付け部材８を回転操作できるように背面側へ起立している。
【発明の効果】
【０００６】
この出願に係る発明の埋込み取手によれば、ボルト、ナットを螺合させることなく、極めて容易に、短時間で、扉に装着することができる。
【図面の簡単な説明】
【０００７】
【図１】本発明の埋込み取手の背面側から見た分解斜視図である。
【図２】本発明の埋込み取手の装着状態の背面側から見た斜視図である。
【図３】本発明の埋込み取手の装着状態を背面側の図２と反対方向から見た斜視図である。
【図４】図１の埋込み取手の正面図である。
【図５】図１の埋込み取手の平面図である。
【図６】図１の埋込み取手の側面図である。
【図７】図１の埋込み取手の背面図である。
【図８】図４におけるVIII−VIII断面図である。
【図９】取付部材の側面図である。
【発明を実施するための形態】
【０００８】
図面を参照してこの発明の実施の形態を説明する。
埋込み取手１は、取手本体２と取付部材３とを具備する。取手本体２は、正面側に手差込み用凹部４を形成するように背面側に膨出する膨出部５と、凹部４の周囲に広がるフランジ部６とを具備する。取手本体２は、扉の正面板３１に形成された取付用開口３２へ、扉の正面側から膨出部５が嵌め込まれ、フランジ部６を正面板の前面に密着させて、取付部材３により正面板３１に固定される。
【０００９】
扉の正面板３１に形成される取付用開口３２は、ほぼ矩形で、相対向する第１及び第２の側縁３２ａ，３２ｂと、これらと直角の第３及び第４の側縁３２ｃ，３２ｄと、第１の側縁３２ａから第２の側縁側３２ｂへ向かって突出した係合突部３２ｅとを有する。
【００１０】
取手本体２の膨出部５は、フランジ部６と一体にプレス形成され、第１ないし第４の側板５ａ，５ｂ，５ｃ，５ｄ及び底板５ｅを有するほぼ矩形の箱状で、相対向する第１、第２の側板５ａ，５ｂの、フランジ部６の背面との間に第１の係合凹部５ｆと第２の係合凹部５ｇが設けられる。第１の係合凹部５ｆは、取付用開口３２の係合突部３２ｅを受け入れる。第２の係合凹部５ｇは、背面側へ向かうにしたがって徐々に外方へ広がる斜面５ｈを具備する。また、係合凹部５ｆ，５ｇの前面側には、手差込み用凹部４内に膨出する指掛け用突部４ａが形成される。なお、図示の実施形態においては、第１の係合凹部５ｆと第２の係合凹部５ｇは膨出部５の中心線に対して対称に、同形に形成されるが、対称、同形でなくてもよい。
【００１１】
取付部材３は、ベース７と締め付け部材８とを具備し、取付用開口３２の第２の側縁３２ｂに沿って正面板３２の背面に密着するように装着される。
【００１２】
ベース７は、コ字状をなした平板状の本体７ａと、その一側縁７ｅから開口の第２の側縁３２ｂに沿うように正面側へ起立する係合片７ｂとを具備する。ベース本体７ａは、取手本体２の膨出部の側板５ｃ，５ｄの外側面に沿う対向一対の延出片７ｃ，７ｄをさらに具備する。ベース本体７ａは、側縁７ｅを取付用開口３２の側縁３２ｂに、また延出片７ｃ，７ｄを開口３２から背面側へ突出した膨出部の側板５ｃ，５ｄの外側面に沿わせるように正面板３１の背面に装着される。
【００１３】
締め付け部材８は、ベース７にピン９で枢着され、ベース７の背面と平行に、締め付け位置（図７における実線）と解放位置（図７における仮想線）との間で回転自在である。締め付け部材８は、締め付け位置において取手本体の係合凹部５ｇ内へ進入する押圧部８ａと、指を掛けて回転操作できるように背面側へ起立する回転操作部８ｂとを具備する。押圧部８ａは、取手本体の係合凹部５ｇ内へ進入したときに、斜面５ｈに係合して、取手本体２を背面側へ引き込み、それによって、フランジ部６を正面板３１に圧接させる。図示の実施例において、締め付け部材８は、一対設けられ、図７に仮想線で示す解放位置から、互いの回転操作部８ｂを接近させるように相互に反対方向へ所定角度回転させることにより、実線で示す締め付け位置となるように設定される。
【００１４】
締め付け部材８が斜面５ｈに係合した状態で、押圧部８ａが斜面５ｈに対して十分に大きなばね力をもって圧接されれば、締め付け部材８を締め付け位置に固定する手段を別途講じなくてもよい。ばね力を補強するため、図９に示すように、取付部材３のベース７における締め付け部材８の枢支部付近を正面板３１の裏面から浮き上がるように湾曲させておき、締め付け部材８を斜面５ｈに圧接させたときに、湾曲部が正面板３１の裏面に押しつけられるように構成することができる。
【００１５】
別途、固定手段が必要なら、回転操作部８ｂに形成された結合孔８ｃに結束バンドを通して結束するなどして、締め付け位置で固定することもできる。
【００１６】
埋込み取手１を扉の正面板３１に装着するには、開口３２の係合突部３２ｅを取手本体２の係合凹部５ｆに嵌合させるように、膨出部５を側板５ａ側から開口３２に嵌合させ、正面板３１の背面側へ突出させる。次いで、正面板３１の背面側から、ベース７の係合片７ｂを開口３２の側縁３２ｂに掛け、延出片７ｃ，７ｄを膨出部の側板５ｃ，５ｄに沿わせて、取り付け部材３を装着する。締め付け部材８を締め付け位置へ回転させ、必要に応じて結束バンド等で固定すれば、埋込み取手１の装着は完了する。
【符号の説明】
【００１７】
１    埋込み取手
２    取手本体
３    取り付け部材
４    手差し込み用凹部
４ａ  指掛け用突部
５    膨出部
５ａ  第１の側板
５ｂ  第２の側板
５ｃ  第３の側板
５ｄ  第４の側板
５ｅ  底板
５ｆ  第１の係合凹部
５ｇ  第２の係合凹部
５ｈ  斜面
６    フランジ部
７    ベース
７ａ  ベース本体
７ｂ  係合片
７ｃ  延出片
７ｄ  延出片
７ｅ  側縁
８    締め付け部材
８ａ  押圧部
８ｂ  回転操作部
８ｃ  結合孔
９    ピン
３１  扉の正面板
３２  取り付け用開口
３２ａ  第１の側縁
３２ｂ  第２の側縁
３２ｃ  第３の側縁
３２ｄ  第４の側縁
３２ｅ  係合突部
【図１】
2011026810.tif 000003
【図２】
2011026810.tif 000004
【図３】
2011026810.tif 000005
【図４】
2011026810.tif 000006
【図５】
2011026810.tif 000007
【図６】
2011026810.tif 000008
【図７】
2011026810.tif 000009
【図８】
2011026810.tif 000010
【図９】
2011026810.tif 000011